(57)【特許請求の範囲】
【請求項１】
フック部と、
前記フック部に接続され、衣服の襟よりも上に位置する首部と衣服を吊持する肩部とを備えた本体部と、
前記首部に設けた情報表示ポケットと、
前記情報表示ポケットの内部に収める情報表示カードを備え、
前記首部の上端の高さを前記情報表示ポケットの上端の高さよりも高くし、前記情報表示ポケットの構造で覆われていない箇所を設け、当該箇所に貫通孔を開けた構造とし、運搬時に前記貫通孔の上縁が手指で把持するグリップとなることを特徴とする情報表示機能付きハンガー。
【請求項２】
前記情報表示ポケットの前面において、前記情報表示カードが外部から見える窓部を形成せしめたものである請求項１に記載の情報表示機能付きハンガー。
【請求項３】
前記情報表示ポケットの少なくとも前面の一部が透明素材で形成されたものである請求項１に記載の情報表示機能付きハンガー。
【請求項４】
前記情報表示ポケットが、前記首部の前面から前方に突出して設けられたものである請求項１から３のいずれか１項に記載の情報表示機能付きハンガー。
【請求項５】
前記情報表示ポケットにおいて、その上面に前記情報表示カードよりも大きな開口が設けられ、前記上面のみが前記情報表示カードの出入り口となり、前記上面以外の他の面には前記情報表示カードよりも大きな開口がなく、前記情報表示カードが脱落しない構造である請求項１から４のいずれか１項に記載の情報表示機能付きハンガー。
【請求項６】
前記情報表示ポケットが、前記首部の前面側と、前記首部の後面側の両側に設けられたものであることを特徴とする請求項１から５のいずれか１項に記載の情報表示機能付きハンガー。
【請求項７】
前記情報表示カードに、文字情報、図形情報、記号情報、色情報のいずれかまたはそれらの組み合わせを担持させたものである請求項１から６のいずれか１項に記載の情報表示機能付きハンガー。
【発明の詳細な説明】
【技術分野】
【０００１】
本発明は、吊持している服に関する情報や販売店舗に関する情報など、多種多様な情報を表示できる情報表示機能付きハンガーに関する。
特に、衣服を吊持させた状態でも情報表示面が良く見え、かつ、ハンガーを手に持つ際に情報表示面が邪魔にならない優れた構造を持つ情報表示機能付きハンガーに関するものである。
【背景技術】
【０００２】
衣服を型崩れしないように保持するためにハンガーが広く利用されている。
ハンガーの構造は、バーなどに引っ掛けるフック部と、衣服を掛ける本体部を備えたものとなっている。本体部は人体の肩から首にかけた輪郭に沿った形状となっており、衣服を被せたまま吊持できるものとなっている。なお、衣服の保持状態を良好に保つためにさらにスーツカバーのような被覆物で覆うこともある。
【０００３】
ここで、一つのバーに多数のハンガーが掛け並べられていると、衣服が互いに隣接し合って外部から見えにくくなり、一覧性に欠けるという問題がある。特にスーツカバーで覆われていれば内部の吊持物が見えなくなる。
【０００４】
従来技術において、このような吊持物の内容を外部から簡単に示す方法が幾つか提案されている。
【０００５】
特許文献１（特開平１０−１７４６４０号公報）に開示された衣服用ハンガーは、図６に示すように、本体部に設けられたカード収容部３と、カード収容部に形成された表示窓４と、表示カード７と、表示カードをカード収納部に固定する係止片６などを備えた構造となっている。表示カード７に衣服に関する情報を記載し、その位置や表裏を変えることにより表示窓４から情報が見えるようにしたものである。フック２がある関係上、カード収容部の開口は下方に設けられており、表示カード７が落下しないように係止片６により栓をするように固定している。
【０００６】
特許文献２（実用新案登録第３１７７３７３号公報）に開示された両面印刷カード取付け型ハンガーは、図７に示すように、ハンガーのフック部下方のいわゆる首部分に位置する本体部の内側にカードを保持し得る内枠状の開口部４を設け、この開口部の下縁部５にカードを支持する支持片８を互いに対向し合わない位置に立設させて構成となっている。図７に示すように、表裏の支持片８の間に挟み込まれる形で立設させる構成となっている。
【０００７】
【特許文献１】特開平１０−１７４６４０号公報
【特許文献２】実用新案登録第３１７７３７３号公報
【発明の開示】
【発明が解決しようとする課題】
【０００８】
しかし、上記のような従来技術におけるハンガーには下記に示す問題があった。
特許文献１（特開平１０−１７４６４０号公報）に開示された衣服用ハンガーの第１の問題点は、表示カード７の落下という不具合が発生するおそれがあるという点である。特許文献１の衣服ハンガーのカード収納部３の位置は、従来型の普及型のハンガーの本体のうちいわゆる肩１のラインより上の位置するいわゆる中央の首部１ａに相当する部位に設けている。この位置は衣服を本体の肩１に吊持させても衣服の襟の上に突出する部位であるので外部一覧性は高まる。しかし、そのカード収納部３の直上にはフック部２が位置しているため、カード収納部３は下方にしか開口部を設けられない。そのため、表示カード７を挿入したのち落下しないように係止片６で係止する必要があるが、いくら係止片６で係止したとしても係止片ごと落下するおそれは常にある。
【０００９】
特許文献１に開示された衣服用ハンガーの第２の問題点は、表示カード７の挿入、取り替えが難しいという点である。図６に示すように、カード収納部３の開口部は下方に設けるものであるため、表示カード７の挿入、取り替えの際に開口部を目視できず、手探りで操作しなければならない。そのため操作性に難点があった。
【００１０】
次に、特許文献２の両面印刷カード取付け型ハンガーの第１の問題点は、ハンガーを把持することが不便になるという点である。特許文献２の両面印刷カード取付け型ハンガーは、バーに吊持した状態であれば、フック部下方のいわゆる首部分に位置する開口部４の一部が衣服の襟の上に出るので一覧性が高くなる。しかし、バーにフックが吊持されている状態で把持する際にはこの首部分に相当する箇所を把持するしかないが、この開口部４は表示カード２０で閉鎖されてしまっており、把持する箇所がない。そのためハンガーを把持することが不便になってしまう問題が生じる。
【００１１】
次に、特許文献２の両面印刷カード取付け型ハンガーの第２の問題点は、表示カード２０の開口部４への挿入が難しく、支持片８から落下するおそれがある点である。図７（ａ）に示すタイプであっても図７（ｂ）に示すタイプであっても小さな支持片８の間にカードを差し入れる必要があり、その取扱いが難しいことが分かる。また、小さな支持片８に対するカード２０の差し入れが正確でないとカード２０が落下してしまうおそれもある。
【００１２】
そこで、本発明は、上記問題点に鑑み、バーに吊持した状態でも情報を記載したカードが一覧でき、かつ、そのカードが落下するという不具合が発生するおそれがなく、また、カードを取り付けた状態でも簡単に把持しやすい構造を備えたハンガーを提供することを目的とする。
【課題を解決するための手段】
【００１３】
上記目的を達成するため、本発明の情報表示機能付きハンガーは、フック部と、衣服の襟よりも上に位置する首部と衣服を吊持する肩部とを備えた本体部と、首部に設けた情報表示ポケットと、情報表示ポケットの内部に収める情報表示カードを備えた構造であり、首部の上端の高さを情報表示ポケットの上端の高さよりも高くして情報表示ポケットの構造で覆われていない箇所を設けておき、当該箇所に貫通孔を開けた構造とする。
【００１４】
ここで、情報表示ポケットの前面において、情報表示カードが外部から見える窓部を形成せしめる構成が好ましい。または、情報表示ポケットの少なくとも前面の一部が透明素材で形成された構成が好ましい。
さらに、外部からの一覧性を高めるべく、情報表示ポケットが首部の前面から前方に突出して設けられた構造であることが好ましい。
【００１５】
ハンガーは、個人のワードローブでも店舗内の展示場所でも、バーなどに多数並べて吊持させることが多い。そうすると隣接する衣服同士が重なってしまい、一覧性が阻害されてしまうが、上記構成とすれば、衣服の上に位置する情報表示ポケットに情報表示カードを入れておくことにより、外部からの一覧性が高まり、情報を視認しやすくなる。さらに本願は、情報表示カードの視認性を高めるだけではなく、運搬時の可搬性も向上させている。つまり、情報表示カードを情報表示ポケットに挿入した状態でも首部の上部付近の貫通孔に手指が入る箇所が確保され、把持グリップが形成されているので、可搬性が犠牲になることはない。
【００１６】
さらに、情報表示ポケットを表裏に設ける構成が可能である。例えば、首部の前面側と、首部の後面側の両方に設けた構造が可能である。情報表示ポケットを首部の表面側と裏面側の両面に設けておくことにより、ハンガーのバーへの掛ける方向が表裏逆になってしまっても、どちら側からでも一覧することができる。
【００１７】
情報表示カードに表示される情報については特に限定はなく、文字情報、図形情報、記号情報、色情報のいずれかまたはそれらの組み合わせを担持させたものとすることができる。
例えば、“春物”“夏物”“秋物”“冬物”などの季節を表示することができる。また、色情報として、スーツの色と同系色とすればスーツの色が一目瞭然である。特に、個人のワードローブの中でスーツカバーをかけて吊持している状態で内部のスーツが直接見えない場合であれば、情報表示カードに色情報を担持させておくことは価値が高い。
【００１８】
さらに、情報表示カードの脱落がないような工夫も盛り込まれている。つまり、情報表示ポケットにおいて、その上面に情報表示カードよりも大きな開口を設け、上面のみが情報表示カードの出入り口となり、上面以外の他の面には情報表示カードよりも大きな開口がない構造とすれば、情報表示カードが脱落することがなくなる。
【発明の効果】
【００１９】
本発明の情報表示機能付きハンガーによれば、衣服の上に位置する情報表示ポケットに情報表示カードを入れておくことにより、外部からの一覧性が高まり、情報を視認しやすくなるとともに、情報表示カードを情報表示ポケットに挿入した状態でも首部の上部付近の貫通孔に手指が入る箇所が確保され、把持グリップが形成されているので可搬性を確保することができる。
【発明を実施するための最良の形態】
【００２０】
以下、図面を参照しつつ、本発明の情報表示機能付きハンガーの実施形態を説明する。ただし、本発明の技術的範囲は以下の実施形態に示した具体的な用途や形状・寸法などには限定されない。
【実施例１】
【００２１】
図１および図２は、実施例１にかかる本発明の情報表示機能付きハンガー１００の構成例を簡単に示す図である。
図１（ａ）は正面図、図１（ｂ）は背面図となっている。
図２（ａ）は右側面図、図２（ｂ）は平面図となっている。
いずれも情報表示カード１７０は情報表示ポケット１５０から抜いた状態で示している。なお、図２（ｂ）の平面図において、情報表示ポケット１５０の上面の開口１５２の範囲が分かりやすいようにハッチングを付けている。
実施例１にかかる情報表示機能付きハンガー１００の構成例は、図１および図２に示すように、フック部１１０、本体部１２０、肩部１３０、首部１４０、情報表示ポケット１５０、グリップ１６０、情報表示カード１７０を備えた構成となっている。
【００２２】
フック部１１０は、洋服タンスや洋服掛けのバーに対して掛止する形状となっている。図１に示す例は、一般に良く見られるいわゆる鈎型のものである。
フック部１１０の素材としてはプラスチック樹脂でも良く、金属製でも良い。
【００２３】
本体部１２０は、肩部１３０と首部１４０を備えたものであり、衣服を吊持する構造を提供する部分である。素材はある程度の構造的強度を備えた素材で良く、例えば、プラスチック樹脂などでも良い。
【００２４】
肩部１３０は、衣服を吊持する部分であり人体の肩のアウトラインを模した形状を備えたものとなっている。
【００２５】
首部１４０は、本体部１４０のうち、衣服を吊持した場合に衣服の襟よりも上に位置する部分である。
図３は、情報表示カード１７０を情報表示ポケット１５０に挿入し、本発明の情報表示機能付きハンガー１００に衣服２００を吊持した状態を示す図である。
図３に示すように、首部１４０は衣服２００の襟よりも上に出ていることが分かる。
なお、この首部１４０の前面の一部に情報表示ポケット１５０が設けられている。情報表示ポケット１５０内の情報表示カード１７０が外部から見えやすいように、情報表示ポケット１５０を首部１４０の前に張り出すように設けても良い。
【００２６】
情報表示ポケット１５０は、首部１４０の一部に設けられたものであり、情報表示カード１７０を収納する部分である。なお、この構成例では、情報表示ポケット１５０の内部に収納されている情報表示カード１７０が見えやすいように、情報表示ポケット１５０の前面に窓部１５１を備えた構成となっている。このように前面に窓部１５１が設けられておれば内部に収納された情報表示カード１７０が直接目視することができ、視認性が向上する。
なお、必ずしも窓部１５１でなくとも内部が視認できれば良いので、例えば、情報表示ポケット１５０の前面が透明素材で覆われたものでも良い。
【００２７】
また、情報表示ポケット１５０において、情報表示カード１７０の出入り口として上面に開口１５２が設けられている。この上面の開口１５２は、情報表示カード１７０が簡単に抜き差しできるよう、情報表示カード１７０よりも大きな幅で開口している。図２（ｂ）において開口１５２が分かりやすいようにハッチングを付けている。
なお、情報表示ポケット１５０において、この上面の開口１５２のみが情報表示カード１７０の出入り口となり、上面の開口１５２と前面の窓部１５１以外の他の面には開口が設けられておらず封止されている。そのため、不意に情報表示カード１７０が脱落したり落下したりするおそれがない。
【００２８】
グリップ１６０は、利用者が情報表示機能付きハンガー１００を手に持って運搬する際に把持に供される部分である。
図１および図２に示した例では、グリップ１６０は首部１４０の上端付近に形成されたものとなっている。首部１４０の上端の高さが情報表示ポケット１５０の上端の高さよりも高くなっており、グリップ１６０の下部には貫通孔１４１が設けられている。この貫通孔１４１は運搬者の指が入り込む空間となっており、グリップ１６０を把持しやすいものとなる。そのため、貫通孔１４１の前面には、少なくとも運搬者の指が入り込む高さと幅が開放されている必要がある。
このように首部１４０の前面には情報表示ポケット１５０の構造で覆われていない箇所があり、当該に貫通孔１４１を開けた構造となっており、その上縁がグリップ１６０となっている。
【００２９】
情報表示カード１７０は、情報を担持したカードであり、表示する情報としては、文字情報、図形情報、記号情報、色情報のいずれかまたはそれらの組み合わせなどがあり得る。また、情報は印刷されたものでも手書きのものでも良い。
なお、情報表示カード１７０はプラスチック製カードでも良く、紙製カードなどでも良い。
【００３０】
図３は、情報表示機能付きハンガー１００の使用例について示した図である。
図３に示すように、衣服２００を本体部１２０の肩部１３０などに吊持してフック部１１０を介してバーに掛ける。
【００３１】
図４は、各々衣服２００を吊持した複数の情報表示機能付きハンガー１００を同時にバー２１０に掛けた状態を示す図である。情報表示カード１７０は分かりやすいようにハッチングを付けて図示している。図４に示すように、複数の情報表示機能付きハンガー１００が重なるように掛け並べられた状態であっても、各々の情報表示機能付きハンガー１００の情報表示ポケット１５０から情報表示カード１７０が視認できることが分かる。
【００３２】
つまり、図４に示すように、本発明の情報表示機能付きハンガー１００であれば、複数の情報表示機能付きハンガー１００を同時にバーに掛けた状態であってお情報表示カード１７０を効率よく視認することができ、かつ、運搬時においても本発明の情報表示機能付きハンガー１００はそのままグリップ１６０を把持することができ、可搬性を向上せしめることができる。
【実施例２】
【００３３】
実施例２の本発明の情報表示機能付きハンガー１００−２は、情報表示ポケット１５０を首部１４０の表面側と裏面側の両方に設けた工夫を施したものである。
【００３４】
図５および図６は、実施例２にかかる情報表示ポケット１５０を表裏両側に設けた構成例を示す図である。
図５（ａ）は正面図、図５（ｂ）は背面図となっている。
図６（ａ）は右側面図、図６（ｂ）は平面図となっている。
いずれも情報表示カード１７０は情報表示ポケット１５０から抜いた状態で示している。図２（ｂ）と同様に、図６（ｂ）の平面図において、情報表示ポケット１５０の上面の開口１５２の範囲が分かりやすいようにハッチングを付けて図示している。
【００３５】
図５および図６に示すように、実施例２の本発明の情報表示機能付きハンガー１００−２において、首部１４０の前面側に情報表示ポケット１５０ａが設けられており、首部１４０の後面側に情報表示ポケット１５０ｂが設けられている。つまり、表面側でも裏面側でも情報表示ポケットが目視できるようになっている。
【００３６】
図７は、情報表示機能付きハンガー１００の使用例について示した図である。
図７（ａ）は衣服２００を吊持した状態の正面図、図７（ｂ）は衣服２００を吊持した状態の背面図となっている。表面側であれば情報表示ポケット１５０ａが目視でし、裏面側であれば情報表示ポケット１５０ｂが目視できるようになっている。
【００３７】
図８は、実施例２にかかる複数の情報表示機能付きハンガー１００−２を同時にバーに掛けた状態を示す図である。実施例２にかかる情報表示機能付きハンガー１００−２は、前面でも背面でも情報表示ポケット１５０があるので、並べる方向については揃えなくても情報表示カードを目視させることができる。そこで、図８の例では、複数の情報表示機能付きハンガー１００−２のバー２１０への掛け並べの方向が、前面が正面に見えているもの、背面が正面に見えているものが混在した状態なっているが、いずれであっても情報表示ポケット１５０ａの情報表示カード１７０または情報表示ポケット１５０ｂの情報表示カード１７０が視認できることが分かる。
【００３８】
以上、本発明の情報表示機能付きハンガーの実施例を説明してきたが、本発明の技術的範囲を逸脱することなく種々の変更が可能であることは理解されるであろう。
【産業上の利用可能性】
【００３９】
本発明の情報表示機能付きハンガーは、吊持された衣服に関する情報を簡単に把握することができるハンガーとして広く適用することができる。
【図面の簡単な説明】
【００４０】
【図１】実施例１にかかる本発明の情報表示機能付きハンガー１００の構成例を簡単に示す図（正面図、背面図）である。
【図２】実施例１にかかる本発明の情報表示機能付きハンガー１００の構成例を簡単に示す図（右側面図、平面図）である。
【図３】情報表示機能付きハンガー１００の使用例について示した図である。
【図４】複数の情報表示機能付きハンガー１００を同時にバーに掛けた状態を示す図である。
【図５】実施例２にかかる本発明の情報表示機能付きハンガー１００−２の構成例を簡単に示す図（正面図、背面図）である。
【図６】実施例２にかかる本発明の情報表示機能付きハンガー１００−２の構成例を簡単に示す図（右側面図、平面図）である。
【図７】実施例２にかかる情報表示機能付きハンガー１００−２の使用例について示した図である。
【図８】複数の情報表示機能付きハンガー１００−２を同時にバーに掛けた状態を示す図である。
【図９】従来技術の特開平１０−１７４６４０号公報に開示された衣服用ハンガーを示した図である。
【図１０】従来技術の実用新案登録第３１７７３７３号公報に開示された両面印刷カード取付け型ハンガーを示した図である。
【符号の説明】
【００４１】
１００  情報表示機能付きハンガー
１１０  フック部
１２０  本体部
１３０  肩部
１４０  首部
１５０，１５０ａ，１５０ｂ  情報表示ポケット
１６０  グリップ
１７０  情報表示カード
【要約】
【課題】  バーに吊持した状態でも情報を記載したカードが一覧でき、かつ、カードを取り付けた状態でも簡単に把持しやすい構造のハンガーを提供する。
【解決手段】  情報表示機能付きハンガー１００は、フック部１１０と、衣服の襟よりも上に位置する首部１４０と衣服を吊持する肩部１３０とを備えた本体部１２０と、首部１４０に設けた情報表示ポケット１５０とグリップ１６０と情報表示カード１７０を備えた構造である。グリップ１６０は、首部１４０の上端に設けられており、首部１４０の高さを情報表示ポケット１５０の上端の高さよりも高くし、情報表示ポケット１５０の構造で覆われていない箇所を確保して貫通孔１４１を開けた構造として手指を入れる空間とする。貫通孔１４１の上縁が手指で把持するグリップ１６０となる。
【選択図】図１【図１】
0005923195.tif 000002
【図２】
0005923195.tif 000003
【図３】
0005923195.tif 000004
【図４】
0005923195.tif 000005
【図５】
0005923195.tif 000006
【図６】
0005923195.tif 000007
【図７】
0005923195.tif 000008
【図８】
0005923195.tif 000009
【図９】
0005923195.tif 000010
【図１０】
0005923195.tif 000011